(57)【要約】【課題】撮影された映像を指定された時間内に自動的に編集する。【解決手段】映像の記録時に、計測部２４で計測した露光データ、ズーム倍率データ、被写体距離データからのデータを時間またはフレーム番号の関数として光ディスク２に記録すると共に、編集時にこれらデータを記録部３１に記録して計測部２４からのデータを時間で微分し変化の大きい映像を残すようにする。【選択図】  図２
2007020205.tif 000002
【特許請求の範囲】
【請求項１】
露光量、ズーム倍率、被写体距離を時間またはフレーム番号を変数とした関数として記録媒体に記録した記録再生装置。
【請求項２】
露光量、ズーム倍率及び被写体距離データを時間またはフレーム番号を変数とした関数の中から選択された関数を微分し、微分値の絶対値の大きい映像を選択して再生することを特徴とする自動編集機能付記録再生装置。
【請求項３】
露光量、ズーム倍率及び被写体距離データを時間またはフレーム番号を変数とした関数とし、各関数を微分し、各関数の微分値の絶対値の和が大きい映像を選択して再生することを特徴とする自動編集機能付記録再生装置。
【請求項４】
露光量、ズーム倍率及び被写体距離データを時間またはフレーム番号を変数とした関数とし、各関数を微分し、各微分値の絶対値に１を加えた逆数の積から活性化度合を計算し、この活性化度合が一定値以下の映像を選択して再生することを特徴とする自動編集機能付記録再生装置。
【請求項５】
請求項４記載の自動編集機能付記録再生装置において、編集時間を入力し、前記編集時間に合致するように前記活性化度合を定め、定められた活性化度合以下の映像のみを自動的に選択して再生する事を特徴とする自動編集機能付記録再生装置
【請求項６】
露光量、ズーム倍率及び被写体距離データを時間またはフレーム番号を変数とした関数とし、各関数を微分し、各関数の微分値に重み付けをし、重み付けされた微分値の絶対値の和が大きい映像を選択して再生することを特徴とする自動編集機能付記録再生装置。
【請求項７】
露光量、ズーム倍率及び被写体距離データを時間またはフレーム番号を変数とした関数とし、各関数を微分し、あらかじめ定められた期間における撮影時間によって編集時間を配分し、配分された編集時間内において、各関数の微分値の絶対値の和が大きい映像を選択して再生することを特徴とする自動編集機能付記録再生装置。
【請求項８】
位置情報、露光量、ズーム倍率及び被写体距離データを時間またはフレーム番号を変数とした関数を微分し、微分値の絶対値の大きい映像を選択して再生することを特徴とする自動編集機能付記録再生装置。
【請求項９】
位置情報、露光量、ズーム倍率及び被写体距離データを時間またはフレーム番号を変数とした関数に関する情報を他の機器に送信できる機能を有する記録再生装置。
【請求項１０】
位置情報、露光量、ズーム倍率及び被写体距離データを時間またはフレーム番号を変数とした関数に関する情報を音声映像情報と共に他の機器に送信できる機能を有する記録再生装置。
【発明の詳細な説明】
【技術分野】
【０００１】
本発明はビデオカメラ等によって、音声や映像情報を記録の際に、記録時刻、露出の度合い、ズーム倍率、被写体距離、又は場所の情報を記録しておき、これらのデータを用いて自動的に編集することが出来る自動編集機能付記録再生装置に関するものである。特に本発明においては、上記撮影条件を用いて、使用者が決めた時間内に自動的に編集することが出来る自動編集機能付記録再生装置に関するものである。
【背景技術】
【０００２】
従来は、使用者が記録された映像及び音声を視聴して、必要な音声映像について時刻やフレーム番号を指定して編集を行っていた。したがって、編集作業は音声及び映像を視聴しながら行うことが不可欠であるため、多大の労力と時間を必要とした。
【発明の開示】
【発明が解決しようとする課題】
【０００３】
記録再生装置の使用者が再生された音声及び映像を視聴して、必要な音声及び映像を時刻やフレーム番号を指定して編集していた従来の人手により編集を行うこと無く、自動的に編集を行うことが出来るようにする。
本発明の目的は、記録時のカメラの使用状況や撮影時間から自動的に編集を行うことができる自動編集機能付記録再生装置を提供すことにある。
【課題を解決するための手段】
【０００４】
本発明による自動編集機能付記録再生装置では撮影時の記録装置の露光、被写体距離、ズーム倍率、あらかじめ定められた時間内の撮影時間のデータを記録装置に記憶しおき、これらのデータの一つまたは複数を用いて記録した映像または映像と音声を編集する。  又、本発明による自動編集機能付記録再生装置では、人が優先的に見たいのは映像データの変化の度合いの大きい部分であることを前提にしており、記録されたデータを演算処理して、変化の大きい映像を選択するようにしている。
【発明の効果】
【０００５】
本発明の記録再生装置にあっては、編集時間の指定のみで変化の多い映像を自動的に選択して再生されため、面倒な編集操作を飛躍的に簡単化することができる。
【発明を実施するための最良の形態】
【０００６】
以下本発明に係る自動編集機能付記録再生装置の実施の形態について幾つかの実施例を用いて説明する。
図１は、本発明による自動編集機能付記録再生装置の実施形態の概念を説明するための模式図である。
図において、１は自動編集機能付記録再生装置であり、この記録再生装置１には記録可能なディスク２が装着される。この記録再生装置１は記録時にはカメラとして用いられる。記録再生装置１の再生制御、記録データの編集や記録データと他の記録媒体からの映像の合成指令等を記録再生装置１に入力するために、光ディスク録再装置１にはリモートコントローラ３が用いられる。また、このリモートコントローラ３にはこれらの指令を表示するための表示装置が設けられている。記録再生装置１にはディスプレイ４が接続されており、光ディスク２の出力信号の再生やリモートコントローラ３からの指令を表示することが出来る。
図２は図１に示した自動編集機能付記録再生装置１のブロック図である。
【０００７】
図に示す自動編集機能付記録再生装置１（以下単に記録再生装置と言う）は記録時はカメラとして用いられる。したがって、この記録再生装置１には通常のフイルムカメラと同様に、各種レンズ、例えば、単焦点（距離）レンズ、ズームレンズ等が用いられると共に、絞り機構、ズーム機構、オートフォーカス機構、露光検出装置、光を電気信号に変換するためのＣＣＤ素子等が備えられている。図において、受光部２１は主にＣＣＤ素子、ＣＣＤ素子の制御回路等から構成されている。レンズ部２２がズームレンズの場合はフォーカスレンズ、変倍レンズなどのレンズ体、絞り機構、ズーム機構、オートフォーカス機構等から構成されている。マイク部２３は音声を記録するための装置であり、マイク、音声回路等から構成されている。計測部２４は光量、ズーム倍率、被写体との距離（フォーカス）等を計測する。
【０００８】
記録再生装置１で撮影された映像は、受光部２１のＣＣＤ素子で電気信号に変換される。音声はマイク部２３によって電気信号に変換される。計測部２４からの計測データは中央処理部３０を通して記憶部３１に記憶される。記憶部３１に記憶された計測データは中央処理部３０を通して信号処理部２５に送られ、映像信号とは別のディスク部分に記憶される。別のやり方としては、中央処理部３０からの指令によって、信号処理部２５で音声及び映像信号に計測部２４からの計測データが付加され、デジタル化されて光ピックアップ２６に供給され、信号処理部２５からの出力信号によりレーザビームを変調し、ディスク２に書き込まれる。ドライブ制御部２７はモータ２８の回転数を制御したり、光ピックアップ２６のフォーカス、トラッキングを制御すると共に、光ピックアップ２６を載置してこれをディスク２の半径方向に移動させるためのアクセス信号等を出力する。中央処理部３０はこの記録再生装置全体を制御する。したがって、光ディスク２から取り出された映像信号または計測データ等を再生するために用いられるクロック信号発生回路３２、レーザディスク装置３５やビデオテープレコーダ３６等の外部機器を制御する外部入出力機器制御部３３及び表示制御部３４は中央処理部３０に接続されている。外部装置としては、レーザディスク装置３５、ビデオテープレコーダ３６が外部入出力機器制御部３３に接続されている。レーザディスク装置３５は、例えば光ディスク２に記録された映像と合成するために必要な映像を提供することが出来る。ビデオテープレコーダ３６は例えばこれら合成された映像を記録するために利用できる。表示装置４は表示制御部３４に接続されている。リモートコントローラ３からの指令によって、記録再生装置１は種々の処理を行う。
【０００９】
光ディスク２に記録された映像は光ピックアップ２６によって電気信号に変換され、信号処理部２５で中央処理部３０からの指令によって、計測データと映像信号に分離され、計測データは記憶部３１に記憶されると共に、映像信号は表示制御部３４を通してディスプレイ４に表示される。
【００１０】
本発明においては、計測部２４からのデータ及び時計データを用いて編集を自動的に行う。すなわち、本発明においては、計測部からのデータを時間またはフレーム番号を変数とした関数から自動編集を行う。計測部２４からのデータのうち、光量、すなわち露光の変化はたとえば屋内での撮影から屋外での撮影に切替えた場合に現われる。露光が変わるということは撮影場所の変化を意味し、編集時に残しておきたい画面または映像であると推察される。また、ズーム倍率が変化するということは、同じ場所で撮影していても関心の高い撮影対象があった場合、その撮影対象に変わったことを意味するため、この部分の画面または映像も編集時に残しておきたいと考えられる。フォーカスも同様に、被写体との距離が変わったことを意味し、重要な画面と考えられる。この様に本発明においては、計測部２４からのデータの内、変化の大きい画面または映像が重要であるとして、編集時に取り入れるようにしている。
【００１１】
次に、あらかじめ定められた期間、例えば１日または半日の間の撮影時間、又はフレーム番号、光量のデータ、カメラのズームデータ（焦点距離の変化）、被写体距離データ（フォーカスデータ）、すなわち、カメラと被写体との距離のデータを用い、時間（またはフレーム番号）を変数とする関数を演算する。本発明の一実施例に必要な時間データ及び計測部２４からのデータは次のようにして得られる。
（１）記録開始時刻や記録終了時刻や全てのデータの変数として利用する時間データは、クロック信号発生部３２のクロック信号を用いた内部時計からえられる。
（２）光量、すなわち露光データは絞り（絞り値）とシャッタースピードから得られる。絞りの主要構成は、絞り値を変える絞り部材とこの絞り部材を駆動するアイリスモータであり、アイリスモータの回転により絞り値が変化するようになっている。絞りの値はアイリスモータの回転角をポテンショメータで検出することによって得られるが、絞りとシャッタースピードの総合データはＣＣＤ素子から得られる輝度信号を用いることが出来る。この輝度信号は画面全体の輝度信号の平均から求める場合もあれば、幾つかの特定のＣＣＤ素子領域から得られる輝度信号の平均から求める場合もある。
（３）ズーム倍率、すなわちズームデータについては、ズーム環の回転によって動く変倍レンズの位置（ズーム倍率）を検出するポテンショメータのスライダー部を動かし、スライダー部の電圧を変えることによって得ることが出来る。
（４）フォーカスは前玉、又は後玉と呼ばれるレンズを前後に動かすことによって行われるが、このレンズの移動によって、ポテンショメータの位置が変化するように構成されているため、ポテンショメータの電圧が変わる。したがって、その電圧を被写体距離データとして利用できる。
（５）場合によってはＧＰＳから送られる位置データを足し込む。
【００１２】
計測部２４から得られた露光、ズーム倍率及び被写体距離に関するデータは中央処理部３０に送られ、中央処理部３０で最適撮影条件が計算され、それに基づきレンズ部２２の制御がおこなわれる。レンズ部の露光データ、ズームデータ、被写体距離データ等のビデオカメラの動作設定状況は、中央処理部３０送られ、記憶部３１に記録さ
る。
これらのデータは、一端記録部３１に記録した後、光ディスク２に記録される。これらのデータは映像信号の同期信号部分の隙間に記憶してもよいし、映像信号とは分離して記憶してもよい。
時刻データ、光量データ、ズームデータ、被写体距離データを音声及び映像データとともに、時間（またはフレーム番号）を変数とした関数として、外部入出力機器制御部３３を介して、外部接続機器に転送することにより、外部接続機器でも自動編集が可能となる。また外部接続機器から転送された同様のデータを用いて記録再生装置１で自動編集が可能となる。
【００１３】
図３（ａ）は本発明による記録再生装置に使用される光ディスクの構成を示す平面図であり、図３（ｂ）はディスクの記録内容を示す模式図である。
【００１４】
光ディスク２の記録領域は、大きく分けて、リードイン領域３７、管理情報記録領域３８、データ記録領域３９、リードアウト領域４０の４つに分けられる。リードイン領域３７には、そのディスク２の物理的仕様に関する情報、例えば、コピープロテクト情報、記録容量、記録密度等が記録されている。管理情報記録領域３８には、時刻データと、露光データ、ズーム倍率データ、被写体距離データ、音量、カメラの設置角度、レンズの絞り値、シャッター速度、等のビデオカメラの動作設定状況、およびこのビデオカメラの動作設定状況の時間（またはフレーム番号）を変数とした関数やデータ記録領域３９に記録されているデータファイルの管理情報などが、また、データ記録領域３９には、音声画像情報そのもののデータファイルなどが、夫々記録されている。記録領域として最後の領域であるリードアウト領域４０には、他の領域と区別する為、０データ、すなわち、何も記録されていない。
【００１５】
光ディスク２が装着されると、中央処理部３０は、光ディスク２のリードイン領域３７と管理情報記録領域３８を読み込み、記憶部３１に格納し、データ記録領域３９の管理を行う。
自動編集のためには管理情報記録領域３８に記録された全ての種類のデータが必要ではないが、データ種類の変更や、組み合わせによって、個人の嗜好や特定用途を満足するきめ細かな自動編集が可能になる。
【００１６】
図４は本発明による自動編集の一実施例を示すフローチャートである。  図４において、リモートコントローラ３で自動編集処理機能を選択（ステップ４１）すると、図５に示す編集条件の入力画面がディスプレイ４に表示さる。  図５は本発明による自動編集機能付き記録再生装置の自動編集処理時の入力画面の一実施例を示す正面図である。
【００１７】
図５の入力画面にはディスク記録全情報として、記録日時、記録回数、総記録時間が表示されており、編集条件として、編集対象日時、編集時間、詳細条件が入力される。編集対象日時を入力すると、対象日時の記録回数および編集対象時間が表示される。詳細条件としては、撮影単位に比例した時間で編集にするか否か、撮影単位は日単位とするか、または電源入をれてから切るまでの時間を単位とするか等の条件、編集する最小映像単位（編集条件によって編集された映像の最小時間）、選択比重が入力される。選択比重とは、編集する際の露光量、ズーム倍率、被写体距離（フォーカス）の重み付けを言い、この図の場合は光量に比べて、ズーム倍率および被写体距離の重み付けを倍にしている。
【００１８】
まず、最初にディスク記録全情報欄に表示された記録期間や記録回数、総記録時間を見て、編集対象期間、編集時間、詳細条件を入力する（ステップ４２）。この場合、編集時間のみでも自動編集は可能であり、他は希望の編集内容にするための補助入力となる。編集条件が入力されると、光ディスク２の管理情報記録領域３８から時刻データと、露光量データ、ズーム倍率データ、被写体距離データ等のビデオカメラの動作設定状況を時間（またはフレーム番号）を変数とした関数として読み込み、記憶部３１に書き込む（ステップ４３）。これらのデータは全て時間（またはフレーム番号）の関数となっている。次にこれらのデータを中央処理部３０において、時間（またはフレーム番号間）の差分より微分値を計算し、再び記憶部３１に書き込む（ステップ４４）。
【００１９】
次に、微分値の絶対値に１を加えた逆数の積を活性化度合Ｋと定義する。すなわち、
【００２０】
【数１】
2007020205.tif 000003
【００２１】
ここで、Ｆ（ｔ）は時間を変数とした被写体距離、Ｉ（ｔ）は時間を変数とした露出、Ｚ（ｔ）は時間を変数としたズーム倍率を示す。  活性化度合Ｋの計算結果は記憶部３１に書き込まれる（ステップ４５）。ここで活性化度合Ｋは０から１の間の数となる。次に活性化度合Ｋ１以下の領域にある記録時間の積算を計算し、この積算値が編集時間と一致した場合のＫ１をしきい値とする（ステップ４６）。
【００２２】
図６は活性化度合Ｋの特性図であり、横軸に時間、縦軸に（数１）によって計算された活性化度合Ｋを示す。活性化度合Ｋ１以下の時間の合計は編集者が決めた時間に相当する。  このしきい値以下の記録情報のうち、数フレーム以下の非常に短い記録情報または、編集する最小映像単位時間（図５に示す実施例では５秒）が指定され場合はその時間以下の記録情報を削除する（ステップ４７）。削除した記録情報がある場合は（ステップ４８）、再度しきい値の計算をおこない（ステップ４５）、削除した記録情報と等しい時間の情報の追加補正を行なって、再生映像指定データとする。これによって、あらかじめ定められた編集時間内での編集を行うことができる。追加補正を行う場合、新たな削除情報がなくなるまで計算を繰り返し、新たな削除情報がなくなった段階のデータを再生映像指定データとしてもよい。この再生映像指定データは記録部３１に書き込こまれる。（ステップ４９）。リモートコントローラ３からの再生指定により、記録部３１に書き込んだ再生映像指定データにしたがって再生を行う（ステップ５０）。
【００２３】
なお、本発明においては、さらに、位置情報を時間の変数として取り込み計測部２４からのデータと同様に処理することにより、計測部２４からのデータが同じであっても、場所が移動して撮影された映像を編集対象とすることができる。位置情報としては、ＧＰＳから送られてくる情報を利用することができる。
【００２４】
本発明においては、記録可能な光ディスクを用いた記録再生装置を例にとって説明したが、必ずしも光ディスクを用いる必要はなく、磁気ディスク等、記録可能な媒体を用いた如何なる記録装置の自動編集にも応用することができる。
【図面の簡単な説明】
【００２５】
【図１】本発明による自動編集機能付記録再生装置の実施形態の概念を説明するための模式図である。
【図２】図１に示した自動編集機能付記録再生装置１のブロック図である。
【図３】（ａ）は本発明による記録再生装置に使用される光ディスクの構成を示す平面図であり、（ｂ）はディスクの記録内容を示す模式図である。
【図４】本発明による自動編集の一実施例を示すフローチャートである。
【図５】本発明による自動編集機能付き記録再生装置の自動編集処理時の入力画面の一実施例を示す正面図である。
【図６】活性化度合Ｋの特性図である。
【符号の説明】
【００２６】
１・・・自動編集機能付き記録再生装置、２・・・光ディスク、３・・・リモートコントローラ、４・・・表示装置、２１・・・受光装置、２２・・・レンズ部、２４・・・計測部、２５・・・信号処理部、３０・・・中央処理部、３１・・・記憶部、３２・・・クロック信号発生部、３３・・・外部入出力機器制御部。
【図１】
2007020205.tif 000004
【図２】
2007020205.tif 000005
【図３】
2007020205.tif 000006
【図４】
2007020205.tif 000007
【図５】
2007020205.tif 000008
【図６】
2007020205.tif 000009